(57)【特許請求の範囲】
【請求項１】
一端がそれぞれ支持され且つ対向配置されて収納体を挟持する二つの板状部と、前記二つの板状部の他端側に保持されて収納体を挟持すると共に前記板状部に沿って一端方向に移動可能な保持部とを備えていて、前記二つの板状部の少なくとも一方を他端で互いに当接する方向に回動可能にし、
前記二つの板状部の一端側には、二つの板状部の他端を接近または当接させた別の容器を挿入する一端側開口部が設けられていることを特徴とする容器。
【請求項２】
前記板状部の一端は別の保持部で回動可能に支持されている請求項１記載の容器。
【請求項３】
前記板状部の一端側開口部には、内部に挟持された収納体が脱落するのを防ぐ係止部材が回動可能に設けられている請求項１または２記載の容器。
【請求項４】
前記板状部の他端側には、外側に回動可能な開口壁部が設けられている請求項１乃至３のいずれか記載の容器。
【請求項５】
前記板状部には、保持部を板状部の他端で係止する係合部が設けられている請求項１乃至４のいずれか記載の容器。
【発明の詳細な説明】
【０００１】
【発明の属する技術分野】
本発明は、飲料用缶等を含む各種の収納体を収容、保管、運搬等するための容器に関する。
【０００２】
【従来の技術】
従来、例えばビール等のアルコール飲料用缶や、ジュース、コーヒー、茶等の清涼飲料用缶を多数収容した運搬容器は直方体形状の段ボール箱で形成されていた。そして飲料用缶の取り出しに際しては例えば運搬容器を縦置きして上面を開封して開口部として缶の取り出しを行う等していた。段ボール箱は軽量、低廉であるという利点を有するが、強度が小さく水濡れに弱いために繰り返し利用することが困難であった。
ところが、近年、環境保護や省資源等の要請が高まりつつあるために、１回使用後に廃棄される段ボール箱に代えて繰り返して使用できる合成樹脂製等の運搬容器が導入されてきている。
この種の運搬容器の一例として特開平９−１０４４６９号公報記載のものがある。この収納容器は直方体形状を呈していて縦置きした際に上面に開口部を形成すると共に、この開口部に対して収納物保持部材を開閉移動するようにしているため缶などの出し入れが容易であるとしている。また開口部に設けた係合片を保持手段として収納物保持部材を閉じ位置に保持するようにしている。
また収納容器が空になった時には、天板と底板の間で天板と底板にヒンジ部で接続されていて側部を構成する２枚の板状体を折り畳むことで天板と底板が直接接触するまで折り畳むことができるとしている。
【０００３】
【発明が解決しようとする課題】
しかしながら、この収納容器は構造が複雑で部品点数が多いために製造コストが高く、開口部の収納物保持部材による開閉操作に手間がかかるという欠点がある。更に飲料用缶を取り出した後で収納容器を折り畳むことができるとしているが、天板と底板の間隙の板状体を折り畳むだけにすぎず、コの字状の天板と底板が当接するまでしか折り畳むことができない。そのため天板と底板の厚み分だけ嵩張ることになり十分な省スペースを達成できず、これを積層すると占有スペースが非常に大きくなり保管や運搬コストが高くなるという欠点もある。
本発明は、このような実情に鑑みて、構造と取り扱いが簡単で不使用時には占有体積を十分小さくできるようにした容器を提供することを目的とする。
【０００４】
【課題を解決するための手段】
本発明による容器は、一端がそれぞれ支持され且つ対向配置されて収納体を挟持する二つの板状部と、二つの板状部の他端側に保持されて収納体を挟持すると共に板状部に沿って一端方向に移動可能な保持部とを備えていて、二つの板状部の少なくとも一方を他端で互いに当接する方向に回動可能にし、二つの板状部の一端側には、二つの板状部の他端を接近または当接させた別の容器を挿入する一端側開口部が設けられていることを特徴とする。
収納体を容器内に収容するに際しては二つの板状部間に収納体を挟持し、しかもこれら二つの板状部は保持部で保持することで内部の収納体を挟持し脱落することを防止できる。しかも収納体を取り出した後は二つの板状部を他端側で互いに当接する方向に回動させて容器の体積を小さくできて占有スペースを小さくできる。
【０００５】
しかも、保持部を二つの板状部の一端方向に移動して二つの板状部他端を互いに接近または当接させた状態に傾斜させ、他端側から別の容器の一端側開口部に挿入することができ、順次容器を同一の形状にして一端側開口部から挿入していけば多数の容器を積層できる。このようにして容器を小型化して積層することで占有スペースが非常に小さくなり保管や運搬などが容易でコストを低減できる。
また板状部の一端は別の保持部で回動可能に支持されていてもよい。
板状部の一端を固定的に支持する別の保持部と板状部の他端を保持する可動の保持部とで板状部を介して収納体を挟持でき、また保持部と別の保持部とを代えて二つの板状部の間隙を変化させることで、高さの異なる収納体を収容可能な容器を製作できる。
また板状部の一端側開口部には、内部に挟持された収納体が脱落するのを防ぐ係止部材が回動可能に設けられていてもよい。
係止部材によって容器内に収容された収納体が外部に脱落するのを防止できる上に、他端側を近接させた別の容器を積層のために一端側開口部から挿入する際、係止部材が回動して容器内部に逃げるので挿入の邪魔になることはない。
【０００６】
また板状部の他端側には、外側に回動可能な開口壁部が設けられていてもよい。
缶などの収納体を容器内に収容したり取り出す際には、保持部を他端側から一端側方向に移動させて開口壁部を開くことで収納体の収容と取り出しをスムーズに行える。
また板状部には、保持部を板状部の他端で係止する係合部が設けられていてもよい。
二つの板状部を略平行に保持して容器内に収納体を収容した後、保持部を板状部の他端に持ち来してその位置で係合部で係止することで、収納体を容器内に固定できて脱落すること等を確実に防止できる。
尚、保持部は二つの板状部の全周を囲う枠状部に形成してもよいし、二つの板状部の間隙を含む両側部のみを移動可能に連結する略コの字型等の一対の枠部形状でもよい。いずれにしても保持部によって二つの板状部の他端側が開く方向へ回動等するのを抑制して、収納体を挟持できる。
【０００７】
【発明の実施の形態】
次に本発明の実施形態を図１乃至図６により説明する。
図１は実施の形態による運搬容器の斜視図、図２は缶を収容または取り出すために他端側開口を開いた状態の運搬容器を示す斜視図、図３は缶収容状態の運搬容器を側面から見た説明図、図４はたたんだ状態の運搬容器の斜視図、図５は積層状態の運搬容器を示す斜視図、図６は図５に示す運搬容器の内部構造を示す説明図である。
図１乃至図３に示す実施の形態による運搬容器１は、例えば略長方形板状で合成樹脂等からなる一対の板状部２、２（図では便宜上一方の板状部を符号２Ａ、他方の板状部を符号２Ｂで表す）を所定間隔離して対向させて略平行に配列している。一対の板状部２Ａ、２Ｂの間隔は例えば収容される円筒状の缶Ｋの高さ（縦）方向長さに等しい。各板状部２Ａ，２Ｂはその長辺方向の両側と他端の三辺側に側部３，３をそれぞれ付設している。そして対向して設けた一対の板状部２Ａ，２Ｂの各側部３，３間には缶Ｋの高さ方向の長さより短い間隙ｃが形成されることになるが、間隙ｃは缶Ｋの外径より大きくてもよい。
一対の板状部２Ａ、２Ｂの各一端は例えば無端の略四角形枠状をなす第一保持部４に回動可能に連結されている。即ち第一保持部４の各板状部２Ａ、２Ｂと連結される各長辺側端部には第一軸部５、５が対向して取り付けられており、一対の板状部２Ａ，２Ｂの各一端はこの第一軸部５，５に回転可能に連結されている。
【０００８】
また第一保持部４の板状部２Ａ，２Ｂとは反対側の端部は略四角形をなす一端側開口部７を構成するものであり、この一端側開口部７の対向する長辺側端部にはそれぞれ第二軸部８，８が取り付けられている。各第二軸部８、８には一端側開口部７の一部を塞ぐように例えば板状の係止部材９，９が回動可能に取り付けられており、好ましくは図示しない弾性部材により各係止部材９は一端側開口部７の外方即ち一端側開口部７を塞ぐ方向に付勢されている。
一端側開口部７内には第二軸部８の外側で第一保持部４からストッパ部４ａが対向して張り出しており、これに係止部材９、９が当接することで一端側開口部７内に係止部材９、９が対向して突出している。対向する係止部材９，９の間隙は好ましくは缶Ｋの外径より小さく、一端側開口部７から缶Ｋが飛び出さないようにしている。
また一対の板状部２Ａ，２Ｂの長手方向の他端側領域はそれぞれ外側に回動可能な開口壁部１１、１１を形成しており、一対の開口壁部１１，１１が外側に開口した状態で缶Ｋの挿入と取り出しを容易に行えるよう開口１０を構成している。
【０００９】
また一対の板状部２Ａ，２Ｂの外周側には第一保持部４と略同一形状の枠状部をなす第二保持部１２が装着されており、第二保持部１２は一対の板状部２Ａ，２Ｂの長手方向に沿ってその他端側と一端側の第一保持部４との間を摺動可能とされている。また一対の板状部２Ａ，２Ｂの各他端縁には第二保持部１２が外れるのを防ぐためにストッパ１３，１３が板状部２Ａ，２Ｂに略直交する方向外側に突出して形成されている。
しかも一対の板状部２Ａ，２Ｂにはその他端側に第一突起部１４と第二突起部１５とがそれぞれ係合部として突出形成されている。第一突起部１４は、図１に示すように第二保持部１２を一対の板状部２Ａ，２Ｂの他端縁まで到達させた位置で係止するものであり、第二突起部１５は、図２に示すように第二保持部１２を一対の板状部２Ａ，２Ｂの開口壁部１１，１１の開口作動を許す位置でそれ以上第一保持部４側に移動しないように係止するものである。
第二保持部１２の摺動に際してはこれら第一及び第二突起部１４，１５を乗り越えて移動することになるが、第二突起部１５は設けなくてもよい。
尚、板状部２Ａ，２Ｂの一端側とは第一保持部４側をいい、他端側とはストッパ１３側をいう。
【００１０】
本実施の形態による運搬容器１は上述の構成を有しており、次に缶Ｋの収容及び取り出し方法と運搬容器１の積層方法とについて説明する。
先ず、空の運搬容器１内に缶Ｋを収容するには、第二保持部１２を一対の板状部２Ａ，２Ｂに沿って第一保持部４側に摺動させ、少なくとも図２に示す第二突起部１５に係止するまで移動させる。或いは第一保持部４に当接する位置まで摺動させてもよい。
そして各板状部２Ａ，２Ｂの開口壁部１１，１１を外側に回動させて運搬容器１に開口１０を形成した状態で、缶Ｋを開口１０から順次運搬容器１内に詰め込んでいけばよい。このとき、缶Ｋは円形の上下面を板状部２Ａ，２Ｂ内面に当接させるようにして、例えば図１及び図３に示すように横（板状部２Ａ，２Ｂの短辺）方向に４本づつ縦（板状部２Ａ，２Ｂの長辺）方向に６本積み重ねるように詰め込む。
詰め込みが終了したら、第二保持部１２を板状部２Ａ，２Ｂ他端のストッパ１３，１３に当接するまで移動して第一突起部１４で係止させる（図１及び図３参照）。この状態で缶Ｋは運搬容器１内で一対の板状部２Ａ，２Ｂで押圧されて確実に保持されると共に、側部３、３と係止部材９とによって両板状部２Ａ，２Ｂの間隙ｃから脱落することを防止でき、保管や運搬に供される。
缶Ｋの取り出しに際しては上述した缶Ｋの詰め込み手順と逆に行えばよい。特に第一保持部４を下面として縦置きすることで、上方の開口壁部１１，１１を開いて開口１０から缶Ｋを取り出すようにすれば、作業が容易である。
【００１１】
次に缶Ｋを取り出した後の運搬容器１の積層方法について説明する。
先ず、一対の板状部２Ａ，２Ｂの他端側に位置する第二保持部１２を、図４に示すように第一保持部４に当接する位置まで一端側に移動させる。次に一対の板状部２Ａ，２Ｂについて第一軸部５，５を中心にして互いに他端側の開口壁部１１、１１が当接する位置まで内側に回動させる。
この状態の運搬容器１における第一保持部４の一端側開口部７から、同一状態に畳まれた他の運搬容器１の他端側を挿入すると、図５及び図６に示すように一端側開口部７に張り出す一対の係止部材９，９が押されて第二軸部８，８を中心に内部に回動する。これによって他の運搬容器１がもう１つの運搬容器１内に押し込まれて互いに嵌合した状態に保持される。この状態で１の運搬容器１の第二保持部１２に他の運搬容器１の第一保持部４が当接して密着状態でネスティングされることになる。
その後、他の運搬容器１の一端側開口部７内に別の運搬容器１の他端側を嵌合し、順次ネスティングが行われる。
このようにして多数の運搬容器１…を互いに密着させて積層することができ、占有スペースが極めて小さい。
【００１２】
上述のように本実施の形態による運搬容器１は、簡単な構成で缶Ｋを確実に収納及び取り出しできると共に、一対の板状部２Ａ，２Ｂ間の間隙ｃには３面に側部３が付設され、他の一面に係止部材９が張り出しているから、缶Ｋの脱落を確実に阻止できる。しかも缶Ｋを取り出した後の不使用状態では、板状部２Ａ，２Ｂの他端側を互いに当接させた状態で一端側開口部７を通して順次嵌合してネスティングできるから占有スペースが小さくコンパクトに保管と運搬等を行える、という効果を奏する。
尚、第一及び第二保持部４，１２を異なる寸法のものに代えることで、板状部２Ａ，２Ｂ間の間隙ｃを代えて挟持する缶Ｋをサイズの違うものに変えることができる。
【００１３】
次に本発明の第二の実施の形態を図７により説明するが、上述の実施の形態と同一または同様の部分、部材には同一の符号を用いて説明する。
図７に示す運搬容器２０において、第一の実施の形態による運搬容器１との相違点は、無端の枠状部をなす第二保持部１２に代えて、略コの字型の一対の第二保持部２１、２１で構成されている点である。そのため、各板状部２Ａ，２Ｂの長手方向に沿う両側部には各一対のガイド溝２２，２２が形成されている。
そして、各コの字型の第二保持部２１はコの字の両自由端で互いに接近する方向にガイド部２１ａ、２１ａが延びている。そのため、一対の板状部２Ａ，２Ｂの短手方向両側で両板状部２Ａ，２Ｂ間に嵌合させられて、ガイド部２１ａ，２１ａが両板状部２Ａ，２Ｂのガイド溝２２，２２に摺動可能に挿入されている。そのため一対の第二保持部２１，２１はガイド溝２２、２２に沿って板状部２Ａ，２Ｂの長手方向に個別に進退することになる。
また図７に示すように板状部２Ａ，２Ｂ内面の少なくとも一方に、収納する缶Ｋの外径に応じて仕切りの溝または突条２４…を設けてもよい。これによって缶Ｋの規則正しい詰め込みが容易になって本数のチェックも容易になる。また複数種類の缶Ｋを挿入することもできる。
本実施の形態においても第一の実施の形態と同様の作用効果を奏する。
【００１４】
尚、第二の実施の形態において、運搬容器２０の上下面の第一保持部４、一対の第二保持部２１、２１について一方の面に例えばリブ状等の凸部２５ａ…を適宜数設け、他方の面に凸部２５ａに嵌合する凹部（図示せず）を適宜数設けるようにしてもよい。これによって、複数の運搬容器２０…を順次積層した場合に、上部と下部の運搬容器２０、２０の互いに当接する第一保持部４，４や、第二保持部２１、２１等について凹凸嵌合させることができて運搬容器２０の崩れやずれを防止できる。この構成は上述した第一の実施の形態における第一及び第二保持部４，１２等にも適用できる。
【００１５】
尚、上述の各実施の形態では、一対の板状部２Ａ，２Ｂを畳むときに両方の板状部２Ａ，２Ｂ他端を互いに接触するまで回動するようにしたが、これに代えて一方の板状部２Ａを第一保持部４に固定状態に保持し、他方の板状部２Ｂのみを回動させるようにしてもよい。このような構成によっても確実に運搬容器１、２０を嵌合させて積層し、ネスティングを行える。
また板状部２Ａ，２Ｂを畳む際、他端側の開口壁部１１，１１が互いに当接しなくてもよく、互いに接近した非接触の状態で積層するようにしてもよい。
また係止部材９を一端側開口部７に付勢する弾性部材はなくてもよい。
尚、上述の各実施の形態では、一対の板状部２Ａ，２Ｂの一端を第一保持部４で支持することとしたが、必ずしも第一保持部４は設けなくてもよい。この場合、一対の板状部２Ａ，２Ｂの一端を所定間隔で保持し且つ少なくとも一方の板状部２Ａ，２Ｂを回動可能に支持すればよく、例えば二つの板状部２Ａ，２Ｂを回動可能に連結する線状または板状等の連結部材を設ける等してもよい。
【００１６】
【発明の効果】
本発明による容器は、一端がそれぞれ支持され且つ対向配置されて収納体を挟持する二つの板状部と、二つの板状部の他端側に保持されて収納体を挟持すると共に板状部に沿って一端方向に摺動可能な保持部とを備えていて、二つの板状部の少なくとも一方を他端で互いに当接する方向に回動可能にしたから、二つの板状部間に収納体を挟持して保持部で保持して内部の収納体を確実に収容できる。しかも収納体を取り出した後は板状部を他端側で互いに当接する方向に回動させて容器の体積と占有スペースを小さくできる。
【００１７】
しかも、二つの板状部の一端側には、二つの板状部の他端を接近または当接させた別の容器を挿入する一端側開口部が設けられているから、畳んだ容器を別の容器の一端側開口部に挿入することで多数の容器を積層でき、各容器を小型化すると共に多数の容器を互いに積層することで占有スペースが非常に小さくなり保管や運搬などが容易でコストを低減できる。
また板状部の一端側開口部には、内部に挟持された収納体が脱落するのを防ぐ係止部材が回動可能に設けられているから、係止部材によって容器内の収納体が外部に脱落するのを防止できる上に、一端側開口部から畳んだ別の容器を挿入する際、係止部材が回動して内部に逃げるので挿入の邪魔になることはない。
【００１８】
また板状部の他端側には、外側に回動可能な開口壁部が設けられているから、開口壁部を開くことで収納体の収容と取り出しをスムーズに行える。
また板状部には、保持部を板状部の他端で係止する係合部が設けられているため、保持部を板状部の他端に持ち来してその位置で係合部で係止することで、容器内部に収容した収納体が脱落すること等を確実に防止できる。
【図面の簡単な説明】
【図１】  本発明の第一の実施の形態による運搬容器の缶を収容した状態の斜視図である。
【図２】  缶を収容または取り出すために他端側開口を開いた状態の運搬容器を示す斜視図である。
【図３】  缶の収容状態の運搬容器を側面から見た説明図である。
【図４】  畳んだ状態の運搬容器の斜視図である。
【図５】  畳んだ運搬容器の積層状態を示す斜視図である。
【図６】  図５に示す運搬容器の内部構造を示す説明図である。
【図７】  本発明の第二の実施の形態による運搬容器の斜視図である。
【符号の説明】
１、２０  運搬容器
２，２Ａ，２Ｂ  板状部
４  第一保持部（別の保持部）
７  一端側開口部
９  係止部材
１１  開口壁部
１２、２１  第二保持部（保持部）
１４  第一突起部（係合部）
１５  第二突起部（係合部）
【図１】
0004738673.tif 000002
【図２】
0004738673.tif 000003
【図３】
0004738673.tif 000004
【図４】
0004738673.tif 000005
【図５】
0004738673.tif 000006
【図６】
0004738673.tif 000007
【図７】
0004738673.tif 000008